(57)【要約】【課題】建物のコーナー部をなす外壁に沿って上面視略Ｌ字状にコーナー開口部を形成した場合に、コーナー開口部を広く開放させつつも、コーナー開口部に安定感ある景観を現出させるようにした建物のコーナー部構造を提供する。【解決手段】２つの外壁１ａ，１ｂのなす建物のコーナー部において、一方の外壁１ａに開口した第１開口部３と他方の外壁１ｂに開口した第２開口部４とを互いに連通させて平面視略Ｌ字状のコーナー開口部２を形成する。第１開口部３及び第２開口部４に複数枚の戸材６を引き違い状に装着した引き違い戸５をそれぞれ設ける。引き違い戸５を閉じたときに第１開口部３と第２開口部４との境である角部７に位置する可動柱材８を、一方の引き違い戸５の１つの戸材６の角部７側の端部にこの戸材６と一緒に移動し得るように一体に取り付ける。【選択図】　　　　図１
2004011121.tif 000002
【特許請求の範囲】
【請求項１】
２つの外壁のなす建物のコーナー部において、一方の外壁に開口した第１開口部と他方の外壁に開口した第２開口部とを互いに連通させて平面視略Ｌ字状のコーナー開口部を形成し、この第１開口部及び第２開口部に複数枚の戸材を引き違い状に装着した引き違い戸をそれぞれ設け、引き違い戸を閉じたときに第１開口部と第２開口部との境である角部に位置する可動柱材を一方の引き違い戸の１つの戸材の角部側の端部にこの戸材と一緒に移動し得るように一体に取り付けたことを特徴とする建物のコーナー部構造。
【発明の詳細な説明】
【０００１】
【発明の属する技術分野】
本発明は、２つの外壁がなす建物のコーナー部構造に関する発明であって、詳しくは、このコーナー部に亙って開口した平面視Ｌ字状のコーナー開口部を形成した場合に、コーナー開口部を広く開放させつつも、コーナー開口部に安定感のある景観を現出させようとする技術に関する発明である。
【０００２】
【従来の技術】
従来から、２つの外壁１ａ，１ｂがなす建物のコーナー部では、たとえば図８に示すように、一方の外壁１ａに第１開口部３を設けると共に他方の外壁１ｂに第２開口部４を設け、この第１開口部３と第２開口部４との交差する角部７にコーナー柱材２０を立設させつつ、この第１開口部３と第２開口部４とを直交するように隣接させることで、コーナー柱材２０を間に介在させるも平面視略Ｌ字状のコーナー開口部２が設けられていた。これは、建物のコーナー部に亙るコーナー開口部２を設けることで、室内の開放感、通気量、視野等を高めようとしたものである。しかしながら、この例では、図９に示すように、コーナー開口部２内にある角部７にコーナー柱材２０が配設されているので、室内にいる者は上記コーナー柱材２０により室内の開放感や視野の広がりを充分に感じることができないものであった。
【０００３】
【発明が解決しようとする課題】
そこで、室内にいる者が室内の開放感や視野の広がりを充分に感じられるよう、また、大きな荷物等もコーナー開口部２から部屋内に搬入できるよう、図１０に示すように、上記コーナー柱材２０を無くし、第１開口部３と第２開口部４とを角部７で互いに連通させて平面視略Ｌ字状のコーナー開口部２を形成したものが提案されるに至った。なお、このコーナー開口部２は建物の外壁１ａ，１ｂにあるから常時開放されるものではなく、このコーナー開口部２には、第１開口部３と第２開口部４とのそれぞれに障子やガラス等の透光性を備えた戸材６を引き違い状にして装着した引き違い戸５がそれぞれ設けられている。詳述すると、第１開口部３には第１引き違い戸５ａが、第２開口部４には第２引き違い戸５ｂがそれぞれ設けられている。そして、第１開口部３を閉じた第１引き違い戸５ａの１つの戸材６は角部７にまで至り、第２開口部４を閉じた第２引き違い戸５ｂの１つの戸材６の角部７側の端部が、上記第１引き違い戸５ａの角部７に位置する戸材６に略直交して当接するようになっている。
【０００４】
この例では、全開状態のコーナー開口部２にあっては遮るものがなく、室内にいる者は室内の開放感や視野の広がりを充分に感じることができるのであるが（図６参照）、各引き違い戸５ａ，５ｂがコーナー開口部２を閉じるときには一転して、角部７にコーナー柱材２０が無いことで、戸材６が角部７から外に飛び出て抜け落ちることを想像してしまったり等、コーナー開口部２の景観に安定感がなくて不安を感じるものであった（図１１）。
【０００５】
本発明は上記の点に鑑みてなされたものであり、建物のコーナー部をなす外壁に沿って上面視略Ｌ字状にコーナー開口部を形成した場合に、コーナー開口部を広く開放させつつも、コーナー開口部に安定感ある景観を現出させるようにした建物のコーナー部構造を提供することを課題とするものである。
【０００６】
【課題を解決するための手段】
上記課題を解決するために本発明に係る建物のコーナー部構造は、２つの外壁１ａ，１ｂのなす建物のコーナー部において、一方の外壁１ａに開口した第１開口部３と他方の外壁１ｂに開口した第２開口部４とを互いに連通させて平面視略Ｌ字状のコーナー開口部２を形成し、この第１開口部３及び第２開口部４に複数枚の戸材６を引き違い状に装着した引き違い戸５をそれぞれ設け、引き違い戸５を閉じたときに第１開口部３と第２開口部４との境である角部７に位置する可動柱材８を、一方の引き違い戸５の１つの戸材６の角部７側の端部にこの戸材６と一緒に移動し得るように一体に取り付けたことを特徴とする。これによると、可動柱材８が一体に取り付けられた一方の引き違い戸５を開けたときには、一方の引き違い戸５の戸材６と一緒に可動柱材８も一体にスライド移動し、コーナー開口部２を全開の状態にできるのであって、室内の開放感、通気量、視野等を高めることができる。また、引き違い戸５を閉じたときやコーナー開口部２の角部７に引き違い戸５の戸材６を集めて位置したときには、コーナー開口部２の角部７に可動柱材８を位置させることができ、コーナー開口部２に安定感ある景観を現出できる。
【０００７】
【発明の実施の形態】
以下、本発明を添付図面に示す実施形態に基づいて説明する。
【０００８】
図１乃至図７に本発明の実施の形態の例を示す。１対の外壁１ａ，１ｂが直交する建物のコーナー部には、角部７を介して両外壁１ａ，１ｂに亙って開口した平面視略Ｌ字状のコーナー開口部２が形成されている。つまり、建物のコーナ部を構成する一方の外壁１ａには角部７に至って開口する第１開口部３が形成されると共に、他方の外壁１ｂには角部７に至って開口する第２開口部４が形成されており、この第１開口部３及び第２開口部４を互いに角部７で連通させることで上記コーナー開口部２が平面視略Ｌ字状に形成されている。なお、図では建物の出隅部分のコーナー部について示しているが、本発明は建物の入隅部分のコーナー部についても適用できるものである。以下、詳述する。
【０００９】
平面視略Ｌ字状のコーナー開口部２を構成する第１開口部３及び第２開口部４にはそれぞれ引き違い戸５が設けられている。この引き違い戸５は、障子やガラス等の透光性を備えた複数枚の戸材６を引き違い状にして各開口部３，４に装着して形成されている。詳述すると、第１，第２開口部４ではそれぞれ上縁部及び下縁部に沿って複数列の走行レール９が設けられ、この複数列の走行レール９の各々に各戸材６を水平方向に摺動自在に嵌め込むことで、戸材６を引き違い状に各開口部３，４に装着させて引き違い戸５を形成している。ここで、第１開口部３に設けた引き違い戸５は第１引き違い戸５ａと称し、第２開口部４に設けた引き違い戸５は第２引き違い戸５ｂと称する。つまり、この第１引き違い戸５ａと第２引き違い戸５ｂとは独立して第１開口部３と第２開口部４とを開閉するものであって、第１開口部３及び第２開口部４を第１引き違い戸５ａ及び第２引き違い戸５ｂでそれぞれ閉じたときにコーナー開口部２が全閉状態になり、第１開口部３及び第２開口部４を第１引き違い戸５ａ及び第２引き違い戸５ｂがそれぞれ開けたときにコーナー開口部２が全開状態になるようになっている。なお、本例では、外壁１ａ，１ｂのコーナー開口部２の開口縁には剛性に優れたサッシ枠１０が取り付けられている。このサッシ枠１０の下枠材１０ａ及び上枠材（図示せず）は角部７で水平面にて略直角に屈曲するように形成されており、この下枠材１０ａ及び上枠材における第１開口部３及び第２開口部４に相当する位置にそれそれ走行レール９が形成されている。また、上記サッシ枠１０の両縦枠材１０ｃは、第１開口部３及び第２開口部４における角部７と反対側の端部にそれぞれ設置されている。
【００１０】
そして、第１引き違い戸５ａを構成する複数の戸材６の１つには可動柱材８が一体に取り付けられている。この可動柱材８はコーナー開口部２の角部７に位置したときに、見かけ上、構造材であるコーナー柱材２０（図８，図９参照）となるものである。ここで、戸材６はその周縁部に框材１１を設けて形成されているが、上記可動柱材８は第１引き違い戸５ａ側の側面において、対向する第１引き違い戸５ａの戸材６の角部７側の端部にある縦框材１１ａに一体に取り付けられている。しかして、この可動柱材８は、第１引き違い戸５ａが第１開口部３を閉じたときには角部７に位置するのであり、また、第１引き違い戸５ａが第１開口部３を開けたときには第１引き違い戸５ａの戸材６と一緒に移動してコーナー開口部２を開放する。なお、第１開口部３を移動する可動柱材８の上部及び下部には、上下の走行レール９を避ける切り欠き等のレール避け１２が形成されており、可動柱材８は滞りなく上下の走行レール９の間で水平移動できるようになっている。本例では、図２に示すように、下部の走行レール９は下枠材１０ａから上方に突設した突出片９ａで構成され、これに対するレール避け１２は可動柱材８の下端から上方に切り込んだ切り欠き１２ａで構成されている。
【００１１】
このように構成した建物のコーナー部構造にあっては、図３に示すように、第１引き違い戸５ａ及び第２引き違い戸５ｂで第１開口部３及び第２開口部４を開けてコーナー開口部２を全開の状態にしたときには、可動柱材８は、第１開口部３の角部７と反対側の方向に第１引き違い戸５ａと一緒に移動するのであり、室内にいる者がコーナー開口部２を通して建物の外を見た場合、図６に示すように、コーナー開口部２には遮るものがなく、室内の開放感や視野の広がりを充分に感じることができるのである。なお、コーナー開口部２には遮るものがないので、大きな荷物等をコーナー開口部２を通して室内に搬入できる利点も有するのは言うまでもない。
【００１２】
また、図１に示すように、第１引き違い戸５ａ及び第２引き違い戸５ｂで第１開口部３及び第２開口部４を閉じてコーナー開口部２を全閉の状態にするときや、図４に示すように、角部７に各引き違い戸５ａ，５ｂの戸材６を集めて位置させるときなど、室内にいる者がコーナー開口部２を引き違い戸５の戸材６で閉じようとする意思のある場合に、可動柱材８を一体に備えた第１引き違い戸５ａの戸材６を角部７側に位置させて、この角部７に可動柱材８を位置させると、室内にいる者がコーナー開口部２を見た場合、図７に示すように、角部７に位置した可動柱材８があたかも建物の重量を支える構造材の機能を果たしているような印象を与えたり、第１引き違い戸５ａ及び第２引き違い戸５ｂを構成する各戸材６が角部７から外方に飛び出て抜け落ちないような印象を与えるものであり、つまり、コーナー開口部２に安定感ある景観を現出できるのである。
【００１３】
また、本例の可動柱材８はその水平断面が矩形状になるように形成されているが、この可動柱材８の側面の室内側に露出する角部８ａには室内にいる者が操作できるフランス落とし１３が設けられている。このフランス落とし１３によって、角部７に位置した可動柱材８を適宜、位置固定させ得るようになっている。可動柱材８の各引き違い戸５ａ，５ｂに対向する側面は戸当たりとして機能させることもあり、このとき戸材６を可動柱材８に勢いよく当接させてしまった場合にも、フランス落とし１３によって位置固定された可動柱材８は、衝撃によって不意に動いてしまうことが防止されるのである。なお、図５にはフランス落とし１３の例を図示する。このフランス落とし１３は、可動柱材８の室内に露出する角部８ａに穿設した縦孔１４内に落とし棒１５を上下に摺動自在に収納し、縦孔１４の一部に室内と連通する連通部１４ａを形成すると共に落とし棒１５から側方に突出した把持ピン１５ａを上記連通部１４ａを通して室内側に突出するようにして構成されており、この把持ピン１５ａを縦孔１４の側方に切欠いた引掛け溝１４ｂに引掛けることで、落とし棒１５が可動柱材８内に収納されて可動柱材８を移動自在の状態にさせ、また、把持ピン１５ａの引掛け溝１４ｂへの引掛けを解除して落とし棒１５を落とすことで、落とし棒１５の下端を床面や下枠材１０ａに下方に穿設した受孔１６に挿入させて可動柱材８を位置固定した状態にさせるものである。
【００１４】
なお、図示はしないが、本例の可動柱材８は第１引き違い戸５ａの戸材６と一体に取り付けられているが、第１引き違い戸５ａまたは第２引き違い戸５ｂのいずれかの戸材６に着脱自在に取り付け得るようにするのも好ましい。コーナー開口部２を閉じるには、コーナー開口部２を安定感ある景観にするために、可動柱材８を一体に取り付けた戸材６を有する引き違い戸５を主に閉めることになるが、上述したように可動柱材８と一体になる戸材６を適宜選択できるようにしておくと、室内にいる者の気分や天候の変化等に合わせて、第１開口部３または第２開口部４のどちらかを主に閉じ得るよう選択できるのである。
【００１５】
【発明の効果】
上記のように本発明の請求項１記載の発明にあっては、２つの外壁のなす建物のコーナー部において、一方の外壁に開口した第１開口部と他方の外壁に開口した第２開口部とを互いに連通させて平面視略Ｌ字状のコーナー開口部を形成し、この第１開口部及び第２開口部に複数枚の戸材を引き違い状に装着した引き違い戸をそれぞれ設け、引き違い戸を閉じたときに第１開口部と第２開口部との境である角部に位置する可動柱材を、一方の引き違い戸の１つの戸材の角部側の端部にこの戸材と一緒に移動し得るように一体に取り付けたので、可動柱材が一体に取り付けられた一方の引き違い戸を開けたときには、一方の引き違い戸の戸材と一緒に可動柱材も一体にスライド移動し、コーナー開口部を全開の状態にできて室内の開放感、通気量、視野等を高めることができるのであり、また、引き違い戸を閉じたときやコーナー開口部の角部に引き違い戸の戸材を集めて位置したときには、コーナー開口部の角部に可動柱材を位置させることができてコーナー開口部に安定感ある景観を現出できるのである。
【図面の簡単な説明】
【図１】本発明の実施の形態の例を示す水平断面図である。
【図２】同上の可動柱材の下端部分を示す斜視図である。
【図３】同上のコーナー開口部を全開にした状態を説明する概略平面図である。
【図４】同上の戸材を角部に集めるように位置した状態を説明する概略平面図である。
【図５】同上のフランス落としを説明する可動柱材の下端部分を示す斜視図である。
【図６】同上のコーナー開口部を全開にした状態を示す斜視図である。
【図７】同上のコーナー開口部を全閉にした状態を示す斜視図である。
【図８】従来技術の例を示す水平断面図である。
【図９】同上のコーナー開口部を全開にした状態を示す斜視図である。
【図１０】従来技術の他例を示す水平断面図である。
【図１１】同上の引き違い戸でコーナー開口部を閉じる途中の状態を示す斜視図である。
【符号の説明】
１ａ　一方の外壁
１ｂ　他方の外壁
２　コーナー開口部
３　第１開口部
４　第２開口部
５　引き違い戸
５ａ　第１引き違い戸
５ｂ　第２引き違い戸
６　戸材
７　角部
８　可動柱材
【図１】
2004011121.tif 000003
【図２】
2004011121.tif 000004
【図３】
2004011121.tif 000005
【図４】
2004011121.tif 000006
【図５】
2004011121.tif 000007
【図６】
2004011121.tif 000008
【図７】
2004011121.tif 000009
【図８】
2004011121.tif 000010
【図９】
2004011121.tif 000011
【図１０】
2004011121.tif 000012
【図１１】
2004011121.tif 000013